(57)【要約】【課題】物干し枠の取付が容易で、取付強度が十分に得られる物干し具を提供する。【解決手段】複数の支柱の上端又は中間部が連結杆により連結され、相対する支柱間に亘って物干し枠が設けられた物干し具であって、この物干し枠の基部に一部切欠き円弧状の支柱挟着部が設けられ、この支柱挟着部が係止駒と協働して支柱を挟着するようになされていることを特徴とするものであり、支柱挟着部の開口を広くしても挟着強度が十分得られる。又、支柱挟着部の内壁の開口部近傍に開口端に向かって内方に向けて傾斜する傾斜面が形成され、この傾斜面に適合する傾斜面が係止駒に形成されれば、支柱挟着部の壁面がねじなどにより内方に撓められると係止駒が内方に向けて移動し支柱を挟着する強度が更に大きくなる。【選択図】        図２
2006061393.tif 000002
【特許請求の範囲】
【請求項１】
支柱の適宜位置に、物干し装置が設けられた物干し具であって、この物干し装置の基部に一部切欠き円弧状の支柱挟着部が設けられ、この支柱挟着部が係止駒と協働して支柱を挟着するようになされていることを特徴とする物干し具。
【請求項２】
複数の支柱の上端又は中間部が連結杆により連結され、相対する支柱間に亘って物干し枠が設けられた物干し具であって、この物干し枠の基部に一部切欠き円弧状の支柱挟着部が設けられ、この支柱挟着部が係止駒と協働して支柱を挟着するようになされていることを特徴とする物干し具。
【請求項３】
支柱挟着部の内壁の開口部近傍に開口端に向かって内方に向けて傾斜する傾斜面が形成され、この傾斜面に適合する傾斜面が係止駒に形成されていることを特徴とする請求項１又は請求項２に記載の物干し具。
【発明の詳細な説明】
【技術分野】
【０００１】
本発明は、複数の支柱に亘って物干し部が取着された物干し具に関し、特に物干し部の取付が容易で確実な物干し具に関する。
【背景技術】
【０００２】
【特許文献１】特開２００２−３７００００号公報
【特許文献２】特開２００２−１８１９４号公報  従来、特開２００２−３７００００号公報に於いて、２本の脚杆が回動継手によりＸ形状に交差軸着されて開閉自在となされた脚体が、相対向して左右一対設けられ、該一対の脚体の各脚杆上端部間に物干し用横桟が架設されてなる物干し具に於いて、脚杆が上部脚杆と下部脚杆からなり、上部脚杆又は下部脚杆のいずれか一方が回動継手に固着され、他の一方が使用時に回動継手に固着されるようになされ、回動継手近傍に基端が固着された物干し枠が設けられた物干し具を本出願人は提案している。
【０００３】
又、特開２００２−１８１９４号公報に於いて、２本の支柱の上部が上部連結杆により連結され、２本の支柱に物干し具と物干し竿を支持する支持腕が取り付けられており、支柱の中央に中間連結具を介して中間連結杆が取り付けられ、相対する中間連結具に亘って梯状の枠体が回動自在に取り付けられた物干し具を本出願人は提案している。
【発明の開示】
【発明が解決しようとする課題】
【０００４】
しかしながら上記の如き特開２００２−３７００００号公報に提案されている物干し具に於いては、脚杆が流通段階で分離可能とされているものの回動継手近傍に物干し枠が設けられているので、パッケージサイズのコンパクト化に限界があるという問題があった。
【０００５】
又、特開２００２−１８１９４号公報に提案されている物干し具に於いては、物干し枠が中間連結具に取り付けられているので、物干し枠の取付高さを変更することができないという問題があった。
【０００６】
上記の問題を解決するため、図４、図５に示すように支柱を挟むように取付部で挟み込み、この取付部をねじで締め付けるという方法が考えられる。しかしながら図４に示すように取付部の開口を狭くすると取付強度は十分得られるものの、支柱をこの取付部に挿入しにくく、図５に示すように取付部の開口を広くすると支柱の挿入は容易となるものの取付強度が十分得られないという問題があった。
【０００７】
そこで本発明者は従来の欠点に鑑み鋭意研究の結果、物干し枠の取付が容易で、取付強度が十分に得られる物干し具を提供する。
【課題を解決するための手段】
【０００８】
本発明請求項１記載の物干し具は、支柱の適宜位置に、物干し装置が設けられた物干し具であって、この物干し装置の基部に一部切欠き円弧状の支柱挟着部が設けられ、この支柱挟着部が係止駒と協働して支柱を挟着するようになされていることを特徴とするものであり、支柱挟着部の開口を広くしても挟着強度が十分得られる。
【０００９】
本発明請求項２記載の物干し具は、複数の支柱の上端又は中間部が連結杆により連結され、相対する支柱間に亘って物干し枠が設けられた物干し具であって、この物干し枠の基部に一部切欠き円弧状の支柱挟着部が設けられ、この支柱挟着部が係止駒と協働して支柱を挟着するようになされていることを特徴とするものであり、支柱挟着部の開口を広くしても挟着強度が十分得られる。
【００１０】
本発明請求項３記載の物干し具は、支柱挟着部の内壁の開口部近傍に開口端に向かって内方に向けて傾斜する傾斜面が形成され、この傾斜面に適合する傾斜面が係止駒に形成されていることを特徴とするもので、支柱挟着部の壁面がねじなどにより内方に撓められると係止駒が内方に向けて移動し支柱を挟着する強度が更に大きくなる。
【発明の効果】
【００１１】
本発明請求項１記載の物干し具は、支柱の適宜位置に、物干し装置が設けられた物干し具であって、この物干し装置の基部に一部切欠き円弧状の支柱挟着部が設けられ、この支柱挟着部が係止駒と協働して支柱を挟着するようになされていることを特徴とするものであり、支柱挟着部の開口を広くしても挟着強度が十分得られるので、開口部を広くすることができ、支柱への支柱挟着部の取付が容易である。
【００１２】
本発明請求項２記載の物干し具は、複数の支柱の上端又は中間部が連結杆により連結され、相対する支柱間に亘って物干し枠が設けられた物干し具であって、この物干し枠の基部に一部切欠き円弧状の支柱挟着部が設けられ、この支柱挟着部が係止駒と協働して支柱を挟着するようになされていることを特徴とするものであり、支柱挟着部の開口を広くしても挟着強度が十分得られるので、開口部を広くすることができ、支柱への支柱挟着部の取付が容易である。
【００１３】
本発明請求項３記載の物干し具は、支柱挟着部の内壁の開口部近傍に開口端に向かって内方に向けて傾斜する傾斜面が形成され、この傾斜面に適合する傾斜面が係止駒に形成されていることを特徴とするもので、支柱挟着部の壁面がねじなどにより内方に撓められると係止駒が内方に向けて移動し支柱を挟着する強度が更に大きくなる。
【発明を実施するための最良の形態】
【００１４】
以下、図面を参照しながら本発明に付いて説明する。
図１は本発明物干し具の実施形態の一例を示す斜視図である。
図面において１は支柱であって、図１の如く所定間隔をおいて左右一対設けられている。支柱１は２本の脚杆１１がＸ形状に交差され、該交差部分において回動継手２により開閉回動可能に軸着されたものである。左右の相対する脚杆１１には物干し枠３が設けられている。
【００１５】
脚杆１１の上端部間には物干し用横桟１３が架設される。通常はエルボ状の継手１２を介して脚杆１１と横桟１４が接続されるが、脚杆１１または横桟１４のいずれかの端部をほぼ直角に曲折して直接嵌合するようにしてもよい。該物干し用横桟１４も金属管、合成樹脂被覆金属管等から作製されたパイプが使用される。
【００１６】
物干し枠３は基部に設けられた支柱挟着部３１により、脚杆１１に挟着固定されている。
図２は物干し枠３の支柱挟着部３１の支柱１への取付状態を説明する組立図である。１は支柱であり、前記の説明図ではＸ形状に交差された２本の脚杆１１からなっている。支柱１の適宜位置に物干し枠３の基部に形成された支柱挟着部３１が被せられ、係止駒３２を挟んで支柱１を挟着するようになされている。支柱挟着部３１の一方の内壁は、図３に示すように開口端に向けて内方に傾斜して傾斜面３１１が形成されている。係止駒３２の一方の面がこの傾斜面３１１に適合するように形成され、支柱挟着部３１の縁部に設けられたねじ孔３１２に挿通されたねじにより支柱挟着部３１が内方に締め付けられると、係止駒３２が内方に向けて（図に於いては左方向に）移動するような応力が付与される。この応力を受けて係止駒３２の支柱当接面３２１が支柱１に強く当接され、支柱１を強く挟着することができる。
【００１７】
本発明物干し具の基本形態は前記例で示したようなＸ形状に交差された２本の脚杆が上端又は下端で連結されたものに限らず、特開２００２−１８９４号に示されたように、相対する２本の支柱の上端が連結杆により連結された形態のものでもよい。又、支柱は１本の杆体からなってもよい。又、脚杆は上部脚杆と下部脚杆から構成され、上部脚杆は下部脚杆の内径より小径で下部脚管内に挿入され伸縮自在となされていてもよい。脚杆としては、金属管、合成樹脂被覆金属管等から作製されたパイプが一般的に使用される。
【００１８】
本発明に於ける支柱挟着部３１は物干し枠本体と別体に作製されて、鋲設等の手段で取着され、物干し枠３とされてもよいが、物干し枠３を構成する支持腕３３と一体に合成樹脂などで成型されれば、堅牢で、製作容易となり好適である。
【図面の簡単な説明】
【００１９】
【図１】本発明物干し具の実施形態の一例を示す斜視図である。
【図２】本発明に於ける物干し枠の支柱挟着部の支柱への取付状態を説明する組立図である。
【図３】本発明物干し具の支柱挟着部の支柱への取付状態の一例を示す要部の断面図である。
【図４】従来の物干し具の支柱挟着部の支柱への取付状態の一例を示す要部の断面図である。
【図５】従来の物干し具の支柱挟着部の支柱への取付状態の一例を示す要部の断面図である。
【符号の説明】
【００２０】
１      支柱
１１    脚杆
１２    継手
１３    横桟
２      回動継手
３      物干し枠
３１    支柱挟着部
３１１  傾斜面
３１２  ねじ孔
３２    係止駒
３２１  支柱当接面
３３    支持腕
【図１】
2006061393.tif 000003
【図２】
2006061393.tif 000004
【図３】
2006061393.tif 000005
【図４】
2006061393.tif 000006
【図５】
2006061393.tif 000007